(57)【要約】【課題】装飾部材およびそれを照らす光源を有する装飾ユニットを備えた遊技機において、装飾部材を照らす光源からの光のばらつき、および装飾ユニットの厚みを抑制する。【解決手段】遊技領域９０２を装飾する装飾ユニット１ｕを備える遊技機であって、装飾ユニット１ｕは、光源１０と、光源１０と側面２１が対向するように配置された導光板２０と、導光板２０の前面２２と対向するように配置された装飾部材３０と、を有し、導光板２０の後面２３に、光を拡散させる拡散部２３１が形成されている遊技機１とする。【選択図】図５
2015159878.tif 000002
【特許請求の範囲】
【請求項１】
遊技領域を装飾する装飾ユニットを備える遊技機であって、
前記装飾ユニットは、
光源と、
前記光源と側面が対向するように設けられた導光板と、
前記導光板の光出射面と対向するように当該導光板の前面側に設けられた装飾部材と、
を有し、
前記導光板の光出射面の反対側の面に、光を拡散させる拡散部が形成されていることを特徴とする遊技機。
【請求項２】
前記光源は、前記導光板の一方側に設けられており、
前記導光板は、前記光源から離れるにつれて前記装飾部材に近づくように湾曲した部分を有することを特徴とする請求項１に記載の遊技機。
【請求項３】
前記光源は、その光軸が前記導光板の拡散部と交差するように設けられていることを特徴とする請求項２に記載の遊技機。
【請求項４】
前記装飾ユニットは、前記導光板の拡散部に対向するように当該導光板の後面側に設けられた反射部材を有することを特徴とする請求項１から請求項３のいずれか一項に記載の遊技機。
【請求項５】
前記反射部材は、前記光源から離れるにつれて前記装飾部材に近づくように湾曲した部分を有することを特徴とする請求項４に記載の遊技機。
【発明の詳細な説明】
【技術分野】
【０００１】
本発明は、遊技領域を装飾する装飾ユニットを備えた遊技機に関する。
【背景技術】
【０００２】
下記特許文献１には、複数の光源およびこれらの光源から出射された光で照らされる装飾部材が設けられた遊技機が記載されている。複数の光源は、装飾部材と対向配置された基板上に点在するように設けられている。
【先行技術文献】
【特許文献】
【０００３】
【特許文献１】特許第５３８６６２４号公報
【発明の概要】
【発明が解決しようとする課題】
【０００４】
上記特許文献１に記載の遊技機のように、装飾部材と対向配置された基板上に複数の光源が設けられる構成であると、光源と装飾部材が重なっているため、装飾部材が局所的に強く光っている（点光りしている）かのような態様となってしまうことがある。つまり、装飾部材を照らす光源からの光（光量）にばらつきが生じてしまうことがある。また、光源が実装された基板と装飾部材が対向配置されるため、装飾ユニットが厚くなってしまう。
【０００５】
本発明は、装飾部材およびそれを照らす光源を有する装飾ユニットを備えた遊技機において、装飾部材を照らす光源からの光のばらつき、および装飾ユニットの厚みを抑制することを目的とする。
【課題を解決するための手段】
【０００６】
上記課題を解決するためになされた請求項１の発明にかかる遊技機は、遊技領域を装飾する装飾ユニットを備える遊技機であって、前記装飾ユニットは、光源と、前記光源と側面が対向するように設けられた導光板と、前記導光板の光出射面と対向するように当該導光板の前面側に設けられた装飾部材と、を有し、前記導光板の光出射面の反対側の面に、光を拡散させる拡散部が形成されていることを特徴とする。
【０００７】
請求項２に記載の発明は、請求項１に記載の遊技機において、前記光源は、前記導光板の一方側に設けられており、前記導光板は、前記光源から離れるにつれて前記装飾部材に近づくように湾曲した部分を有することを特徴とする。
【０００８】
請求項３に記載の発明は、請求項２に記載の遊技機において、前記光源は、その光軸が前記導光板の拡散部と交差するように設けられていることを特徴とする。
【０００９】
請求項４に記載の発明は、請求項１から請求項３のいずれか一項に記載の遊技機に  おいて、前記装飾ユニットは、前記導光板の拡散部に対向するように当該導光板の後面側に設けられた反射部材を有することを特徴とする。
【００１０】
請求項５に記載の発明は、請求項４に記載の遊技機において、前記反射部材は、前記光源から離れるにつれて前記装飾部材に近づくように湾曲した部分を有することを特徴とする。
【発明の効果】
【００１１】
請求項１に記載の発明では、光源から出射された光は、導光板の側面から導光板内に入射する。導光板内に入射した光の一部は、そのまま導光板の光出射面から装飾部材に向かって出射するし、別の一部は、導光板の光出射面の反対側の面に形成された拡散部で拡散（乱反射）し、導光板の前面から装飾部材に向かって出射することとなる。つまり、光源が装飾部材に重なって配置されておらず、導光板に入射した光の一部が拡散部で拡散されて装飾部材に向かって出射される態様であるため、装飾部材を照らす光のばらつきを抑制することが可能となる。また、光源が装飾部材の側面に対向するように配置された構成であるため、装飾ユニットの厚みを抑制することが可能となる。
【００１２】
請求項２に記載の発明のように、導光板に光源から離れるにつれて装飾部材に近づくように湾曲した部分が設けられていれば、導光板内に入射した光のうち、拡散部に到達する成分が増加する。つまり、拡散部で拡散されて導光板の平面方向に広がる光の成分が増加するから、装飾部材を照らす光のばらつきをさらに抑制すること、装飾部材を照らす光量を増加させることが可能となる。
【００１３】
面発光するような特殊な光源を除き、一般的な光源から出射された光は、光軸に近いほど光量が大きくなる。したがって、請求項３に記載の発明のように、光源の光軸が導光板の拡散部と交差するように、すなわち、光軸と拡散部が交差するように導光板が湾曲していれば、光量が大きい光軸に沿う成分が拡散部に到達することになるから、装飾部材を照らす光のばらつきをさらに抑制すること、装飾部材を照らす光量を増加させることが可能となる。
【００１４】
請求項４に記載の発明のように、導光板の拡散部に対向する反射部材が設けられていれば、拡散部から導光板外に出た光の少なくとも一部が、反射部材で反射されて導光板内に戻ることになる。つまり、拡散部から導光板外に光が出射することにより、装飾部材を照らす光量が低下してしまうのを抑制することが可能である。
【００１５】
請求項５に記載の発明のように、反射部材に光源から離れるにつれて装飾部材に近づくように湾曲した部分が設けられていれば、反射部材で反射されて導光板内に戻る光量を増加させることが可能である。
【図面の簡単な説明】
【００１６】
【図１】本発明の一実施形態にかかる遊技機の正面図である（発射装置や下皿・上皿等は省略）。
【図２】装飾部材側から見た装飾ユニットの分解斜視図である。
【図３】反射部材側から見た装飾ユニットの分解斜視図である。
【図４】導光板および基板に実装された基板の外観図である。
【図５】装飾ユニットの断面を模式的に示した図である。
【図６】反射部材が湾曲した部分を有する装飾ユニットの断面を模式的に示した図である。
【発明を実施するための形態】
【００１７】
以下、本発明にかかる実施形態について図面を参照して詳細に説明する。まず、図１を参照して遊技機１の全体構成について簡単に説明する。なお、図１では、発射装置や遊技球を貯留する下皿や上皿等を省略している。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１８】
遊技領域９０２には、表示装置９１、第一始動入賞口９０４、第二始動入賞口９０５、大入賞口９０６、アウト口９０７などが設けられている。表示装置９１は、例えば液晶表示装置１１が用いられ、表示装置９１の表示画面（表示部）において特別図柄や普通図柄等が表示される。かかる表示装置９１の表示画面は、遊技盤９０に形成された開口９０１を通じて視認可能である。
【００１９】
本実施形態にかかる遊技機１では、遊技領域９０２を装飾する装飾ユニット１ｕが設けられている。本実施形態における装飾ユニット１ｕは、遊技盤９０の開口９０１の上側縁に沿うようにして遊技盤９０に接続されている。なお、装飾ユニット１ｕは、遊技盤９０やその他の部材に対し動かないように固定されているものであってもよいし、駆動手段によって所定の範囲を移動するもの（例えば、図１に示した位置から表示装置９１に重なる位置に進出可能な位置）であってもよい。当該装飾ユニット１ｕの構成および作用の詳細については後述する。
【００２０】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２１】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２２】
以下、図２〜図５を参照して遊技領域９０２を装飾する装飾ユニット１ｕの構成について説明する。なお、以下の説明における前後方向とは遊技盤９０の平面方向に直交する方向（遊技者側を前、その反対側を後とする）を、幅方向とは遊技盤９０の左右方向を、上下方向とは遊技盤９０の上下方向（前後方向および幅方向に直交する方向）をいうものとする。ただし、導光板２０の前面２２、後面２３とは、必ず前後方向に沿う（これらの面が前後方向に直交する）ものではない。後述するように、導光板２０における装飾部材３０と対向する面を前面２２、その反対側の面を後面２３と称する。本実施形態における装飾ユニット１ｕは、光源１０、導光板２０、装飾部材３０、および反射部材４０を備える。以下、各構成について詳細に説明する。
【００２３】
光源１０は、導光板２０に向かって光を出射するものである。本実施形態では、白色光を発光する複数のＬＥＤを光源１０として用いている。当該複数の光源１０は、幅方向に長い光源用基板１１に実装されている。具体的には、複数の光源１０は、その光の出射方向（光軸Ｘ）が上向きとなるようにして、幅方向に並ぶように光源用基板１１上に実装されている。各光源１０は、光源用基板１１に形成された回路を介して、図示されない演出制御基板（演出を制御する基板）によってＯＮ／ＯＦＦ制御される。
【００２４】
導光板２０は、光源１０から出射される光を透過する材料で形成された平板状の部材である。この導光板２０の側面（本実施形態では下側面２１）に対向するように、上記複数の光源１０が配置されている。光源１０が対向する導光板２０の下側面２１は、平坦な面となっている。本実施形態における導光板２０は、その平面形状が、装飾部材３０の形状と類似する形状となっている。具体的には、導光板２０の外縁が、装飾部材３０の外縁よりも一回り小さくなるように設定されている。本実施形態における装飾部材３０はその下側縁以外の側縁が平坦な形状（直線状）ではないため、導光板２０の下側面２１以外の側面（下側縁以外の外縁）は平坦な形状ではない。本実施形態では、導光板２０の下側面２１以外の側面に対向するように光源１０は配置されていない。
【００２５】
導光板２０の前面２２（装飾部材３０と対向する面。本実施形態では前後方向に直交する）は、装飾部材３０に向かう光が出射する光出射面である。本実施形態における導光板２０の前面２２は平坦である。一方、導光板２０の後面２３（光出射面の反対側の面。本実施形態では前後方向に直交する）には、光を拡散させる拡散部２３１が形成されている。本実施形態では、導光板２０の後面２３の全体に拡散部２３１が形成されている。本実施形態では、導光板２０の後面２３に凹凸加工を施すことにより、拡散部２３１を形成している。かかる拡散部２３１の態様としては種々考えられる（凹凸の他に、いわゆるドットパターン等が例示できる）が、当該後面２３に到達した光を乱反射させる等して拡散させるものであれば、どのような態様であってもよい。
【００２６】
本実施形態における導光板２０は、光源１０から離れるにつれて装飾部材３０に近づくように湾曲した部分（以下、導光湾曲部２４と称する）を有する。つまり、拡散部２３１が、光源１０から離れるにつれて装飾部材３０に近づくように湾曲した形状となっている。かかる湾曲した拡散部２３１は、導光板２０の下側面２１に対向して配置される光源１０の光軸Ｘ（出射される光の光量が最も大きくなる部分を通る軸）と交差するように設定されていることが望ましい（図５参照）。このように導光板２０を湾曲させたことによる作用については後述する。
【００２７】
装飾部材３０は、導光板２０の前面２２に対向するように配置された部材であって、光源１０により発生した光に照らされることによって装飾機能を発現する部材である。本実施形態における装飾部材３０は、装飾が施された装飾部３１と、この装飾部３１の周囲から後方に向かって起立するように形成された周壁部３２とを有する。装飾部３１は、その少なくとも一部が光透過性の材料（光で照らされることによって態様（見た目）が変化する材料であればよい）で形成された発光態様部３１１を有する。かかる発光態様部３１１を有するものであれば、装飾部３１による装飾形態はどのようなものであってもよい。
【００２８】
上記導光板２０は、周壁部３２に囲まれるように配置される。また、詳細を後述する反射部材４０は、周壁部３２の端縁によって形成される開口を覆うように設けられる。また、周壁部３２の下側内壁面は、光源用基板１１が載地される基板載置面となっている。つまり、光源１０および導光板２０の少なくとも一部は、装飾部材３０（装飾部３１および周壁部３２）と反射部材４０とによって形成される空間内に設けられる。
【００２９】
反射部材４０は、導光板２０の拡散部２３１に対向するように設けられた部材である。反射部材４０は、少なくともその導光板２０側の面が反射率の高い反射面４１となるように構成されている。本実施形態では、反射部材４０全体が光の反射率が高い白色の樹脂材料で形成されている。導光板２０側の面に、鏡面材料を付着させる等して反射面４１が形成されていてもよい。
【００３０】
以上の構成を備える装飾ユニット１ｕの作用は以下の通りである。光源１０を駆動すると、当該光源１０から出射された光は、導光板２０の下側面２１から導光板２０内に入射する。導光板２０内に入射した光の一部は、導光板２０の前面２２から装飾部材３０に向かって出射する。また、導光板２０内に入射した別の光の一部は、導光板２０の後面２３に形成された拡散部２３１に到達し、拡散される。具体的には、導光板２０の下側面２１から導光板２０内に入射しそのまま拡散部２３１に到達した光や、導光板２０の前面２２で反射し拡散部２３１に到達した光が、当該拡散部２３１において拡散される。
【００３１】
拡散部２３１において拡散された光の一部は、導光板２０の平面方向に広がり、導光板２０の前面２２から装飾部材３０に向かって出射される。つまり、装飾部材３０は、平面方向に広がった光により照らされる。
【００３２】
このように、本実施形態にかかる装飾ユニット１ｕでは、光源１０が装飾部材３０に重なって配置されておらず、導光板２０に入射した光の一部が拡散部２３１で拡散されて装飾部材３０に向かって出射される態様であるため、装飾部材３０を照らす光のばらつきを抑制すること（光の均一化）が可能となる。つまり、装飾部材の後方に点状の光源を配置した場合に生ずるおそれがある「点光り」（光源が配置されている箇所が局所的に明るくなること）を防止することが可能となる。また、光源が装飾部材３０の側面に対向するように配置された構成であるため、装飾ユニット１ｕの厚みを抑制することが可能となる。
【００３３】
さらに、本実施形態では、導光板２０が導光湾曲部２４を有する。光源１０から入射する光は、導光板２０の下側面２１から入射するため、光の成分は光軸Ｘに近ければ近いほど、平面方向に沿う。したがって、導光板２０が導光湾曲部２４を有しない平坦な形状であれば、そのまま拡散部２３１に到達せずに下側面２１の反対側の側面から導光板２０外に抜けてしまう成分が多くなるところ、本実施形態のように拡散部２３１が形成されていれば、そのように導光板２０外に抜けてしまうであろう成分の少なくとも一部が拡散部２３１に到達し、拡散されることとなる。つまり、導光湾曲部２４を設けることにより、導光板２０内に入射した光のうち、拡散部２３１に到達する成分が増加する。このように、拡散部２３１で拡散されて導光板２０の平面方向に広がる光の成分が増加するから、装飾部材３０を照らす光のばらつきをさらに抑制すること、装飾部材３０を照らす光量を増加させることが可能となる。
【００３４】
そして、本実施形態における導光湾曲部２４は、その湾曲の度合いが、光源１０の光軸Ｘと拡散部２３１が交差するように設定されている。したがって、本実施形態の光源１０であるＬＥＤのような発光体から出射された光は、光軸Ｘに近いほど光量が大きくなるため、光量が大きい光軸Ｘに沿う成分が拡散部２３１に到達することになる。つまり、拡散部２３１に到達する光の成分が大きくなり、装飾部材３０を照らす光のばらつきをさらに抑制すること、装飾部材３０を照らす光量を増加させることが可能となる。
【００３５】
なお、導光板２０が導光湾曲部２４を有していない形状（平坦な形状）であったとしても、拡散部２３１による光のばらつきが抑制される作用、装飾部材３０を照らす光量を増加させる作用が奏されるため、装飾部材３０を照らす光量を小さくしたい等の要求がある場合には、導光板２０を平坦な形状としてもよい。
【００３６】
また、導光板２０の導光湾曲部２４の湾曲の度合いを大きくすればするほど、拡散部２３１に到達する光が増加することになるが、湾曲の度合いを大きくすると、ユニット全体の厚みが大きくなってしまう問題がある。また、大きく湾曲していると、拡散部２３１で拡散されても装飾部材３０の下方に向かう光の成分が大きくなり、装飾部材３０の上方を照らす光量が小さくなってしまう（装飾部材３０の上方が暗くなってしまう）問題がある。したがって、導光湾曲部２４の湾曲の度合いを著しく増加させることは好ましくない。具体的には、導光板２０の先端（導光湾曲部２４（光源１０側とは反対側）の端部）と、各光源１０の光出射面の装飾部材３０側端部とが同一平面上に位置するように設定するとよい。
【００３７】
また、本実施形態では、導光板２０の拡散部２３１と対向するように反射部材４０が設けられているため、拡散部２３１から導光板２０外に出た光の少なくとも一部が、反射部材４０で反射されて導光板２０内に戻ることになる。つまり、拡散部２３１から導光板２０外に光が出射することにより、装飾部材３０を照らす光量が低下してしまうのを抑制することが可能である。
【００３８】
このような作用をもたらす反射部材４０は、図６に示すような湾曲部分を有する形態としてもよい。図６に示す反射部材４０は、光源１０から離れるにつれて装飾部材３０（導光板２０）に近づくように湾曲した部分（以下、反射湾曲部４２と称する）を有する。つまり、反射面４１が、光源１０から離れるにつれて装飾部材３０に近づくように湾曲した形状となっている。かかる反射湾曲部４２は、導光湾曲部２４と略平行になるようにするとよい。つまり、反射部材４０の反射面４１と、導光部材の後面２３とが略平行（両面の間隔がどの場所においても略等しい状態をいう）になるようにするとよい。
【００３９】
反射部材４０をこのような形状とすれば、反射湾曲部４２で反射された光は導光板２０の中央側に向かう成分が大きくなる（導光板２０に戻らない成分が小さくなる）から、反射部材４０で反射されて導光板２０内に戻る光量を増加させ、装飾部材３０を照らす光量を増加させることが可能である。また、反射湾曲部４２と導光湾曲部２４が略平行であれば、ユニットの厚みを小さくすることが可能である。
【００４０】
以上、本発明の実施の形態について詳細に説明したが、本発明は上記実施の形態に何ら限定されるものではなく、本発明の要旨を逸脱しない範囲で種々の改変が可能である。
【符号の説明】
【００４１】
１  遊技機
１ｕ  装飾ユニット
１０  光源
１１  光源用基板
２０  導光板
２１  下側面
２２  前面（光出射面）
２３  後面
２３１  拡散部
２４  導光湾曲部
３０  装飾部材
４０  反射部材
４２  反射湾曲部
Ｘ  光軸
【図１】
2015159878.tif 000003
【図２】
2015159878.tif 000004
【図３】
2015159878.tif 000005
【図４】
2015159878.tif 000006
【図５】
2015159878.tif 000007
【図６】
2015159878.tif 000008
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
遊技領域を装飾する装飾ユニットを備える遊技機であって、
前記装飾ユニットは、
光源と、
前記光源と側面が対向するように設けられた導光板と、
前記導光板の光出射面と対向するように当該導光板の前面側に設けられた装飾部材と、
を有し、
前記導光板の光出射面の反対側の面に、光を拡散させる拡散部が形成されており、
前記光源は、前記導光板の一方側に設けられており、
前記導光板の前記光源が設けられた一方側の反対側に、前記光源から離れるにつれて前記装飾部材に近づくように湾曲した部分が形成され、
前記光源は、その光軸が前記導光板の湾曲した部分における拡散部と交差するように設けられていることを特徴とする遊技機。
【請求項２】
前記装飾ユニットは、前記導光板の拡散部に対向するように当該導光板の後面側に設けられた反射部材を有することを特徴とする請求項１に記載の遊技機。
【請求項３】
前記反射部材は、前記光源から離れるにつれて前記装飾部材に近づくように湾曲した部分を有することを特徴とする請求項２に記載の遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、遊技領域を装飾する装飾ユニットを備える遊技機であって、前記装飾ユニットは、光源と、前記光源と側面が対向するように設けられた導光板と、前記導光板の光出射面と対向するように当該導光板の前面側に設けられた装飾部材と、を有し、前記導光板の光出射面の反対側の面に、光を拡散させる拡散部が形成されており、前記光源は、前記導光板の一方側に設けられており、前記導光板の前記光源が設けられた一方側の反対側に、前記光源から離れるにつれて前記装飾部材に近づくように湾曲した部分が形成され、前記光源は、その光軸が前記導光板の湾曲した部分における拡散部と交差するように設けられていることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２に記載の発明は、請求項１に記載の遊技機において、前記装飾ユニットは、前記導光板の拡散部に対向するように当該導光板の後面側に設けられた反射部材を有することを特徴とする。
【手続補正６】
【補正対象書類名】明細書
【補正対象項目名】００１０
【補正方法】変更
【補正の内容】
【００１０】
請求項３に記載の発明は、請求項２に記載の遊技機において、前記反射部材は、前記光源から離れるにつれて前記装飾部材に近づくように湾曲した部分を有することを特徴とする。
【手続補正７】
【補正対象書類名】明細書
【補正対象項目名】００１２
【補正方法】変更
【補正の内容】
【００１２】
また、導光板に光源から離れるにつれて装飾部材に近づくように湾曲した部分が設けられていれば、導光板内に入射した光のうち、拡散部に到達する成分が増加する。つまり、拡散部で拡散されて導光板の平面方向に広がる光の成分が増加するから、装飾部材を照らす光のばらつきをさらに抑制すること、装飾部材を照らす光量を増加させることが可能となる。
【手続補正８】
【補正対象書類名】明細書
【補正対象項目名】００１３
【補正方法】変更
【補正の内容】
【００１３】
また、面発光するような特殊な光源を除き、一般的な光源から出射された光は、光軸に近いほど光量が大きくなる。したがって、光源の光軸が導光板の拡散部と交差するように、すなわち、光軸と拡散部が交差するように導光板が湾曲していれば、光量が大きい光軸に沿う成分が拡散部に到達することになるから、装飾部材を照らす光のばらつきをさらに抑制すること、装飾部材を照らす光量を増加させることが可能となる。
【手続補正９】
【補正対象書類名】明細書
【補正対象項目名】００１４
【補正方法】変更
【補正の内容】
【００１４】
請求項２に記載の発明のように、導光板の拡散部に対向する反射部材が設けられていれば、拡散部から導光板外に出た光の少なくとも一部が、反射部材で反射されて導光板内に戻ることになる。つまり、拡散部から導光板外に光が出射することにより、装飾部材を照らす光量が低下してしまうのを抑制することが可能である。
【手続補正１０】
【補正対象書類名】明細書
【補正対象項目名】００１５
【補正方法】変更
【補正の内容】
【００１５】
請求項３に記載の発明のように、反射部材に光源から離れるにつれて装飾部材に近づくように湾曲した部分が設けられていれば、反射部材で反射されて導光板内に戻る光量を増加させることが可能である。